(57)【特許請求の範囲】
【請求項１】
複数の携帯形電話端末装置を収容すると共に、データ設定を行うコンピュータ装置を接続する電話交換装置において、
前記コンピュータ装置に、
使用可能な携帯形電話端末装置と空き状態にある会議グループとを表示する表示手段と、
当該表示手段で表示された情報を基に、前記使用可能な携帯形電話端末装置から任意の複数の携帯形電話端末装置を選択すると共に、空き状態にある会議グループの一つを選択し、これらを対応付けする会議グループ設定手段と、
を備え、
前記電話交換装置に、
通話路を自在に設定する通話路スイッチと、
該通話路スイッチに収容されており、入力された音声信号を混合して会議通話を提供する会議トランクと、
前記会議グループ設定手段によって設定された会議グループと複数の携帯形電話端末装置とを対応付けして記憶する記憶手段と、
前記会議グループに所属する携帯形電話端末装置から当該携帯形電話端末装置を示す識別情報を含む会議通話接続要求を受信した際に、前記会議トランクを捕捉すると共に、前記記憶手段を参照して、当該識別情報に基づき当該携帯形電話端末装置が所属している会議グループを認識する会議グループ認識手段と、
この認識した会議グループの内、前記会議通話接続要求を行った携帯形電話端末装置の他の全ての携帯形電話端末装置を抽出する抽出手段と、
この抽出手段が抽出した携帯形電話端末装置の全てを一斉に呼び出す呼出手段と、
呼び出しされた携帯形電話端末装置から応答を検出すると、前記捕捉した会議トランクに前記会議通話接続を要求した携帯形電話端末装置と、前記応答した携帯形電話端末装置とを接続するように、前記通話路スイッチを制御する通話路制御手段と、
を備えた、
ことを特徴とする電話交換装置。
【発明の詳細な説明】
【０００１】
【発明の属する技術分野】
この発明は、携帯形電話端末装置を収容する電話交換装置に係り、特に、その携帯形電話端末装置に会議通話を提供する電話交換装置に関する。
【０００２】
【従来の技術】
従来から電話交換装置においては、会議通話接続サービスが行われている。例えば、会議招集者が会議接続を設定する特番を送出して、会議トランクを捕捉し、その後、会議に参加させる電話機の電話番号を送出して呼び出し、呼び出された電話機の扱い者がこれに応答することで、この呼を会議トランクに接続し、会議通話サービスを提供する方式が良く知られている。
【０００３】
また、近年は、著しく携帯形電話端末装置が普及しており、何時でも、何処でも電話連絡することができる環境になってきている。しかしながら、携帯形電話端末装置を用いた通話が１対１の通話が主流であり、会議通話のために利用することは少ない。
【０００４】
【発明が解決しようとする課題】
ところで、イベント会場、スキー場、デパート等の広大な敷地に、団体で訪れ、そのレジャーを楽しむことが盛んであるが、このような、広大な敷地内で互いに意志の疎通を図ることは難しく、個人個人で行動する場合には、集合時間、集合場所を決めて行動のが一般的である。また、携帯形電話端末装置又は無線機を用いて意志の疎通を図ることも考えられるが、前記のとおり、通常、携帯形電話端末装置を用いた通話は１対１となるため、団体全員と同時に意志の疎通を取るには手間を要していた。
【０００５】
従って、本発明の目的は、個人個人に携帯形電話端末装置を所有させ、この携帯形電話端末装置を使用して、団体であっても、簡便にかつ容易に、コミュニケーションを図れるようにした電話交換装置を提供することにある。
【０００６】
【課題を解決するための手段】
本発明の目的は、複数の携帯形電話端末装置を収容する電話交換装置が、前記複数の携帯形電話端末装置の内から複数の携帯形電話端末装置を選択し、これを一つの会議グループに設定する会議グループ設定手段と、通話路を自在に設定する通話路スイッチと、該通話路スイッチに収容されており、入力された音声信号を混合して会議通話を提供する会議トランクと、前記会議グループに所属する携帯形電話端末装置から当該携帯形電話端末装置を示す情報を含む会議通話接続要求を受信した際に、前記会議トランクを捕捉すると共に、当該携帯形電話端末装置が所属している会議グループを認識する会議グループ認識手段と、この認識した会議グループの内、前記会議通話接続要求を行った携帯形電話端末装置の他の全ての携帯形電話端末装置を抽出する抽出手段と、この抽出手段が抽出した携帯形電話端末装置の全てを一斉に呼び出す呼出手段と、呼び出しされている携帯形電話端末装置から応答を検出すると、前記捕捉した会議トランクに前記会議通話接続を要求した携帯形電話端末装置と、前記応答した携帯形電話端末装置とを接続するように、前記通話路スイッチを制御する通話路制御手段と、を備えたことによって達成される。
【０００７】
【発明の実施の形態】
以下、本発明の実施の形態を図面を参照して詳細に説明する。
【０００８】
図１は、本発明の実施の形態を示すシステム構成図である。図１において、本発明の電話交換装置は、通話路スイッチ（ＳＷ）１００と、無線インタフェース装置１０１（ＤＲＩＦ）と、無線基地局（ＣＳ）１０２と、多機能電話インタフェース装置（ＭＴＬＩＮ）１０３と、局線トランク（ＣＯＴ）１０５と、会議トランク（ＣＦＴ）１０６と、デジタルラインインタフェース装置（ＤＬＩＮ）１０７と、制御バス１０８と、中央制御装置（ＣＣ）１０９と、主記憶装置（ＭＭ）１１０と、外部インタフェース装置（Ｉ／Ｆ）１１１とを備えている。
【０００９】
通話路スイッチ１００は、無線インタフェース装置１０１、多機能電話インタフェース装置１０３、局線トランク１０５、会議トランク１０６、及びデジタルラインインタフェース装置１０７を収容しており、中央制御装置１０９の制御の下で、これらの装置の間に通話路を自在に設定するものである。無線インタフェース装置１０１は、無線基地局１０２を接続し、携帯形電話端末装置３００の通話接続に係るインタフェースを行うものである。多機能電話インタフェース装置１０３は、多機能電話機４００を接続し、この電話機の通話接続、その他の接続制御動作のインタフェースを行うものである。局線トランク１０５は、公衆網とのインタフェースを行い、いわゆる、外線通話接続動作を行うものである。会議トランク１０６は、入力されてきた音声信号を混合し、その後、レベル調整して分配送出し、３以上の端末装置間で会議通話を可能にするものである。デジタルラインインタフェース装置１０７は、以下に説明するＬＡＮを接続しており、ＬＡＮからの情報を通話路スイッチ１００及び局線トランク１０５を介して公衆網に送出し、インターネット、又はＷＡＮ接続を可能にするものである。
【００１０】
また、制御バス１０８は、通話路スイッチ１００、中央制御装置１０９、主記憶装置１１０、及び外部インタフェース装置１１１を接続しており、これらの装置の間でデータ、制御情報のやりとりを行わせるものである。中央制御装置１０９は、電話交換装置全体を制御するものであり、主記憶装置１１０に格納されている処理プログラム、局データ、及び各種テーブル等に従って、交換処理動作を行うものである。外部インタフェース装置１１１は、ＬＡＮとのインタフェースを行うものであり、ＬＡＮに接続されているサーバー又はクライアントと各種情報、データをやりとり可能にするものである。
【００１１】
ＬＡＮは、ファイルサーバー２００と、プリンタ２０２を接続しているプリントサーバー２０１と、カードリーダ２０４を接続しているクライアント用パソコン２０３と、外部のサーバー、クライアント等のコンピュータシステムに接続する際に用いられるルータ（Ｒ）２０５とを備えている。ここで、パソコン２０３は電話交換装置と各種情報、データのやりとりが可能であり、電話交換装置から通話情報を受信することができ、また、電話交換装置の主記憶装置１１０に格納されている局データ、各種テーブルの設定登録が可能な構成にしている。
【００１２】
図２は、図１に示す本発明の電話交換装置、ＬＡＮからなるシステムを設置した状態の概念を示す図である。図２においては、本発明のシステムをデパートなどのビルに設置した場合を示しており、１階に電話交換装置及びＬＡＮを設置し、多機能電話機４００とパソコン２０３がフロント、受付などに備え付けられている。また、各階には、無線基地局１０２が設置されており、携帯形電話端末装置３００を所有している人は、何処からでも電話の発信、着信を行うことができる。
【００１３】
図３は、携帯形電話端末装置の盤面図である。図３において、携帯形電話端末装置３００は、外線ボタン３０１と、グループボタン３０２と、フロントボタン３０３と、内線ボタン３０４と、保留ボタン３０５と、切断ボタン３０６と、ＬＣＤ表示部３０７と、ダイヤルボタン３０８とを備えている。
【００１４】
外線ボタン３０１は、外線通話接続を要求するとき、及び外線からの着信に応答するときに用いるものである。グループボタン３０２は、自携帯形電話端末装置と同一の会議グループに所属している他の携帯形電話端末装置との会議通話接続を要求するとき、及び会議通話接続に係る着信に応答するときに用いるものである。フロントボタン３０３は、フロント電話機（多機能電話機４００）との通話接続を要求するとき、及びフロント電話機からの着信に応答するときに用いるものである。内線ボタン３０４は、内線通話接続を要求するとき、及び内線からの着信に応答するときに用いるものである。保留ボタン３０５は、通話中の呼を保留状態にするとき、及びこれを保留状態から解除するときに用いるものである。切断ボタン３０６は、通話中の呼を切断（開放）するときに用いるものである。
【００１５】
また、ＬＣＤ表示部３０７は、通話時間、相手ダイヤル番号などの各種通話に係る情報を表示するものである。ダイヤルボタン３０８は、衆知のとおり、相手先ダイヤル又は特番を入力するときに用いるものである。
【００１６】
図４は、多機能電話機の盤面図である。図３において、多機能電話機４００は、ダイヤルボタン４０１と、ハンドセット４０２と、会議グループボタン４０３と、ＬＣＤ表示部４０４と、を備えている。
【００１７】
衆知のとおり、ダイヤルボタン４０１は、相手先ダイヤル又は特番を入力するときに用いるものであり、ハンドセット４０２は、送話器及び受話器からなり通話に用いるものである。会議グループボタンは、携帯形電話端末装置３００によって構成される会議グループに対応して設けられており、通話接続を行いたい会議グループに対応するボタンを押下することにより、その会議グループに所属する携帯形電話端末装置の一斉呼び出しを行い、この多機能電話機４００を含めた会議通話を行うときに用いるものである。また、ＬＣＤ表示部４０４は、ＬＣＤ表示部３０７と同様に、通話時間、相手ダイヤル番号などの各種通話に係る情報を表示するものである。
【００１８】
図５は、携帯形電話端末装置の設定状況、状態を記憶、格納する端末状態テーブルである。図５において、この端末状態テーブルＴ５０は、電話交換装置の主記憶装置１１０に格納されているものであり、この末状態テーブルＴ５０は、各携帯形電話端末装置の各々に対する設定状況、状態が格納されている。図５において、各携帯形電話端末装置の端末番号Ｔ５１に対して、端末種別Ｔ５２と、会議グループ番号Ｔ５３と、状態情報Ｔ５４と、接続先Ｔ５５とが設定、記憶されている。
【００１９】
端末種別Ｔ５２は、携帯形電話端末装置が貸し出し用の端末装置か、又は業務用の端末装置かを設定する領域である。会議グループ番号Ｔ５３は、携帯形電話端末装置が所属している会議グループを設定記憶する領域である。状態Ｔ５４は、携帯形電話端末装置が未使用、空き状態、通話中状態、又は着信中状態のいずれの状態にあるかを示す状態情報を記憶している領域である。また、接続先Ｔ５５は、携帯形電話端末装置のが通話接続中にあるときの接続先ポートを格納する領域である。
【００２０】
図６は、携帯形電話端末装置によって設定される会議グループの登録状態を記憶している会議グループ登録テーブルである。図６において、この会議グループ登録テーブルＴ６０は、会議グループ番号Ｔ６１に対して、この会議グループに所属する携帯形電話端末装置の端末番号Ｔ６２が設定登録されている。
【００２１】
図７は、電話交換装置が収容している会議トランクの状態を情報を格納する会議トランク状態テーブルである。図７において、この会議トランク状態テーブルＴ７０は、会議トランク番号Ｔ７１に対して、この会議トランクが空き状態か、又は塞がり状態かを示す状態情報Ｔ７２が格納されている。
【００２２】
次に、本発明における会議グループの登録方法を説明する。なお、本実施の形態においては、図２に示すように、本発明のシステムをデパートのビルに設置し、複数人のグループからなる利用客に携帯形電話端末装置を貸し出して、会議グループを設定する場合を例にして説明する。
【００２３】
図１５は、利用客に携帯形電話端末装置を貸し出して、会議グループを設定する貸出設定画面を示す図であり、これはクライアント用パソコン２０３の画面に表示されるものである。図１５において、この貸出設定画面Ｄ１５は、空き会議グループ表示部Ｄ１５０と、会議グループ選択表示部Ｄ１５１と、未使用端末表示部Ｄ１５２と、端末選択表示部Ｄ１５３と、貸出番号入力部Ｄ１５４と、証明種別入力部Ｄ１５５と、証明書番号入力部Ｄ１５６と、借用者情報入力部Ｄ１５７と、設定クリアボタン部Ｄ１５８と、登録ボタン部Ｄ１５９とからなる。
【００２４】
空き会議グループ表示部Ｄ１５０は、空き状態にある会議グループのリストを表示する領域であり、会議グループ選択表示部Ｄ１５１は、この空き会議グループ表示部Ｄ１５０に表示されている空き会議グループから選択された一つの会議グループを表示する領域である。未使用端末表示部Ｄ１５２は、未使用状態にある携帯形電話端末装置３００のリストを表示する領域であり、端末選択表示部Ｄ１５３は、この未使用端末表示部Ｄ１５２に表示されている未使用状態の携帯形電話端末装置から選択された複数の携帯形電話端末装置３００を表示する領域である。
【００２５】
また、貸出番号入力部Ｄ１５４は、貸し出しの管理を行うために用いられる整理番号を入力する領域である。証明種別入力部Ｄ１５５は、免許証、クレジットカード、又は社員証等の貸し出しする人が身分を証明するために用いたものの種別を入力する領域であり、証明書番号入力部Ｄ１５６は、その身分を証明するために用いたものに付与されている番号を入力する領域である。そして、借用者情報入力部Ｄ１５７は携帯形電話端末装置を借用する人（借用者）の氏名、住所等の情報を入力する領域である。
【００２６】
設定クリアボタンＤ１５８は、この表示画面Ｄ１５に入力、設定した内容に誤りがあった場合に、これをクリアするために用いられるボタンであり、また、登録ボタンＤ１５９は、表示画面Ｄ１５に入力、設定した内容を登録するボタンである。なお、これらのボタンは、通常のパソコンと同様にマウスのクリックによって、その機能を果たすものである。
【００２７】
以下、会議グループの登録方法を説明する。受付のオペレータは、利用客から携帯形電話端末装置の貸し出し要求を受けると、クライアント用パソコン２０３を操作し、貸出設定画面Ｄ１５を表示させる。そして、空き会議グループ表示部Ｄ１５０に表示されている空き状態の会議グループリストから一つの会議グループを選択し、会議グループ選択表示部Ｄ１５１にこれを表示させる。次に、未使用端末表示部Ｄ１５２に表示されている未使用状態の携帯形電話端末装置３００のリストから貸し出しする台数分の携帯形電話端末装置を選択し、これを端末選択表示部Ｄ１５３に表示させる。
【００２８】
そしてこの後、オペレータは、貸し出しに必要な情報、即ち、貸出番号、証明種別、証明書番号、及び氏名及び住所を、各々、貸出番号入力部Ｄ１５４、証明種別入力部Ｄ１５５、証明書番号入力部Ｄ１５６、及び借用者情報入力部Ｄ１５７に入力し、入力内容を確認して、登録ボタンＤ１５９をクリックする。すると、会議グループ選択表示部Ｄ１５１に選択表示されている会議グループに対して、未使用端末表示部Ｄ１５２に表示されている携帯形電話端末装置３００を割り当て、これを一つの会議グループとして登録される。
【００２９】
即ち、この会議グループの設定情報（会議グループに対する携帯形電話端末装置３００の割り当て設定情報）を、外部インタフェース装置１１１を介して電話交換装置に送出する。一方、これを中央制御装置１０９が認識すると、受信した情報に応じて、図５に示す端末状態テーブルＴ５０の対応する会議グループ番号領域Ｔ５３及び状態情報領域Ｔ５４と、図６に示す会議グループ登録テーブルＴ６０とを設定登録し、会議グループの割り付けを行う。
【００３０】
次に、本発明の実施の形態における通話接続動作について説明する。
【００３１】
初めに、同一会議グループでの会議通話接続動作について、携帯形電話端末装置ＰＳ５を含む会議グループにおいて、携帯形電話端末装置ＰＳ５が会議通話接続要求を行った場合を例にして説明する。図８ないし図１０は同一会議グループでの会議通話接続動作を示すシーケンスである。まず、携帯形電話端末装置ＰＳ５の使用者が、携帯形電話端末装置ＰＳ５のグループボタン３０２を押下すると、グループによる会議通話接続要求を示す会議通話接続要求情報と自端末番号（ＰＳ５）とを、電話交換装置に対して送出する（Ｓ８０１）。一方、電話交換装置では、これを無線基地局１０２を介して受信すると、会議通話接続の発信を検出し（Ｓ８０２）、その後、図５に示す端末状態テーブルＴ５０又は会議グループ登録テーブルＴ６０を参照して、この会議通話接続要求情報を送出した携帯形電話端末装置が会議グループのいずれかに登録されているかどうか判断する（Ｓ８０３）。
【００３２】
この判断の結果、会議グループに登録されていない場合には、その会議通話接続要求を無効にする処理を行い（Ｓ８０４）、会議グループに登録されている場合には、当該携帯形電話端末装置が所属している会議グループを抽出し（Ｓ８０５）、その後、図６の会議グループ登録テーブルＴ６０を参照して、抽出した会議グループに所属する他の携帯形電話端末装置を抽出する（Ｓ８０６）。
【００３３】
次に、電話交換装置は、図７の会議トランク状態テーブルＴ７０を参照し、空き状態にある会議トランク１０６があるかどうか判断し（Ｓ８０７）、空き状態の会議トランク１０６が無い場合には、ビジー処理を行う（Ｓ８０８）。一方、空き状態の会議トランク１０６が有る場合には、その一つを捕捉し（Ｓ８０９）、ステップＳ８０６で抽出した同一会議グループに所属している他の携帯形電話端末装置を呼び出すための呼出信号を送出する（Ｓ８１０）。
【００３４】
この呼び出しに対し、同一会議グループに所属している他の携帯形電話端末装置の使用者が、携帯形電話端末装置のグループボタン３０２を押下して応答すると、応答要求を示す応答情報と自端末番号とを、電話交換装置に送出する（Ｓ８１１）。
【００３５】
一方、電話交換装置では、これを無線基地局１０２を介して受信すると、応答を検出し（Ｓ８１２）、その後、図５に示す端末状態テーブルＴ５０又は会議グループ登録テーブルＴ６０を参照して、この応答情報を送出した携帯形電話端末装置が会議グループのいずれかに登録されているかどうか判断する（Ｓ８１３）。
【００３６】
この判断の結果、会議グループに登録されていない場合には、その応答要求を無効にする処理を行い（Ｓ８１４）、会議グループに登録されている場合には、当該携帯形電話端末装置が所属している会議グループを抽出し（Ｓ８１５）、その後、会議通話接続要求をした携帯形電話端末装置ＰＳ５との対応を認識して（Ｓ８１６）、携帯形電話端末装置ＰＳ５と応答情報を送出した携帯形電話端末装置とを、ステップＳ８０９で抽出した会議トランク１０６に接続するように通話路スイッチ１００を制御する（Ｓ８１７）。
【００３７】
また、同様に、同一会議グループに所属する他の携帯形電話端末装置の使用者が、携帯形電話端末装置のグループボタン３０２を押下して応答すると、応答要求を示す応答情報と自端末番号とを、電話交換装置に送出する（Ｓ８１８）。
【００３８】
一方、電話交換装置では、これを無線基地局１０２を介して受信すると、応答を検出し（Ｓ８１９）、その後、図５に示す端末状態テーブルＴ５０又は会議グループ登録テーブルＴ６０を参照して、この応答情報を送出した携帯形電話端末装置が会議グループのいずれかに登録されているかどうか判断する（Ｓ８２０）。
【００３９】
この判断の結果、会議グループに登録されていない場合には、その応答要求を無効にする処理を行い（Ｓ８２１）、会議グループに登録されている場合には、当該携帯形電話端末装置が所属している会議グループを抽出し（Ｓ８２２）、その後、会議通話接続要求をした携帯形電話端末装置ＰＳ５との対応を認識して、当該応答情報を送出した携帯形電話端末装置を、ステップＳ８０９で抽出した会議トランク１０６に接続するように通話路スイッチ１００を制御する（Ｓ８２３）。
【００４０】
以上のように、携帯形電話端末装置ＰＳ５の会議通話接続要求に対し、同一会議グループに所属する携帯形電話端末装置の使用者が応答することで、同一会議グループでの会議通話が行われる（Ｓ８２４）。
【００４１】
次に、以上により会議通話接続がなされている場合において、携帯形電話端末装置ＰＳ５が携帯形電話端末装置の切断ボタン３０６を押下すると、切断要求を示す切断情報と自端末番号（ＰＳ５）とを、電話交換装置に送出する（Ｓ８２５）。
【００４２】
一方、電話交換装置では、これを無線基地局１０２を介して受信すると、切断を検出し（Ｓ８２６）、その後、図５に示す端末状態テーブルＴ５０を参照して、この応答情報を送出した携帯形電話端末装置の通話ポートに接続している接続先ポートを抽出することで、会議トランク１０６に接続されていることを認識し、この会議トランクを開放し（Ｓ８２７）、次いで、携帯形電話端末装置ＰＳ５を開放する（Ｓ８２８）。そして、この会議通話接続に係る通話情報を、外部インタフェース装置１１１を介してパソコン２０３に送出し（Ｓ８２９）、同一会議グループに所属する携帯形電話端末装置に対しビジートーンを送出する（Ｓ８３０）。
【００４３】
これに伴い、ビジートーンを聴取した携帯形電話端末装置の使用者が携帯形電話端末装置の切断ボタン３０６を押下して、切断要求を示す切断情報と自端末番号とを、電話交換装置に送出すると（Ｓ８３１）、電話交換装置では切断を検出し（Ｓ８３２）、その後、その切断情報を送出した携帯形電話端末装置に対する切断／開放処理を実行し、通話路を切断する（Ｓ８３３）。
【００４４】
以上のようにして、同一会議グループ内での会議通話接続が行われる。
【００４５】
次に、外線通話接続動作について、携帯形電話端末装置ＰＳ４が外線通話接続要求を行った場合を例にして説明する。図１１及び図１２は外線通話接続動作を示すシーケンスである。まず、携帯形電話端末装置ＰＳ４の使用者が、携帯形電話端末装置の外線ボタン３０１を押下すると、外線通話接続要求を示す外線通話接続要求情報と自端末番号（ＰＳ４）とを、電話交換装置に対して送出する（Ｓ９０１）。一方、電話交換装置では、これを無線基地局１０２を介して受信すると、外線通話接続の発信を検出し（Ｓ９０２）、その後、図５に示す端末状態テーブルＴ５０又は会議グループ登録テーブルＴ６０を参照して、この外線通話接続要求情報を送出した携帯形電話端末装置が会議グループのいずれかに登録されているかどうか判断する（Ｓ９０３）。
【００４６】
この判断の結果、会議グループに登録されていない場合には、その外線通話接続要求を無効にする処理を行い（Ｓ９０４）、会議グループに登録されている場合には、当該携帯形電話端末装置が所属している会議グループを抽出する（Ｓ９０５）。次に、空き状態にある局線トランク１０５があるかどうか判断し（Ｓ８０６）、空き状態の局線トランク１０５が無い場合には、ビジー処理を行い（Ｓ８０７）。一方、空き状態の局線トランク１０５が有る場合には、その一つを捕捉し（Ｓ９０８）、ダイヤルトーンを携帯形電話端末装置ＰＳ４に送出して、ダイヤル操作を促す（Ｓ９０９）。
【００４７】
一方、携帯形電話端末装置ＰＳ４の使用者がダイヤルトーンを聴取すると、携帯形電話端末装置のダイヤルボタン３０８を押下してダイヤリングする。すると、携帯形電話端末装置ＰＳ４は、ダイヤリングされたダイヤル番号と自端末番号（ＰＳ４）とを電話交換装置に送出する（Ｓ９１０）。
【００４８】
これに対し、電話交換装置では、ダイヤル受信処理によってダイヤルを受信し（Ｓ９１１）、公衆網５００に対して、この受信したダイヤルを送出する（Ｓ９１２）。一方、公衆網５００では、接続先の電話機を呼出し（Ｓ９１３）、この電話機の応答を電話交換装置に通知する（Ｓ９１４）。
【００４９】
この応答を電話交換装置が検出すると（Ｓ９１５）、通話路スイッチ１００を制御して携帯形電話端末装置ＰＳ４と捕捉した局線トランク１０５との間に通話路を設定し（Ｓ９１６）、外線通話接続状態にする（Ｓ９１７）。
【００５０】
次に、以上により外線通話接続がなされている場合において、携帯形電話端末装置ＰＳ４が携帯形電話端末装置の切断ボタン３０６を押下すると、切断要求を示す切断情報と自端末番号（ＰＳ４）とを、電話交換装置に送出する（Ｓ９１８）。
【００５１】
一方、電話交換装置では、これを無線基地局１０２を介して受信すると、切断を検出し（Ｓ９１９）、その後、図５に示す端末状態テーブルＴ５０を参照して、この応答情報を送出した携帯形電話端末装置の通話ポートに接続している接続先ポートを抽出することで、局線トランク１０５に接続されていることを認識し、この局線トランクを開放し（Ｓ９２０）、次いで、携帯形電話端末装置ＰＳ４を開放する（Ｓ９２１）。そして、この外線通話接続に係る通話情報（課金情報を含む）を、外部インタフェース装置１１１を介してパソコン２０３に送出し（Ｓ９２２）、その後、その切断情報を送出した携帯形電話端末装置に対する切断／開放処理を実行し、通話路を切断する（Ｓ９２３）。
【００５２】
なお、公衆網５００においては、衆知のとおり、局線トランク１０５の開放を認識して終話を検出し（Ｓ９２４）、この局線トランク１０５に対する切断／開放処理を実行し、通話路を切断する（Ｓ９２５）。
【００５３】
以上のようにして、外線通話接続が行われる。
【００５４】
次に、内線通話接続動作について、携帯形電話端末装置ＰＳ４が携帯形電話端末装置ＰＳ６に対する内線通話接続要求を行った場合を例にして説明する。図１３及び図１４は内線通話接続動作を示すシーケンスである。まず、携帯形電話端末装置ＰＳ４の使用者が、携帯形電話端末装置の内線ボタン３０４を押下すると、内線通話接続要求を示す内線通話接続要求情報と自端末番号（ＰＳ４）とを、電話交換装置に対して送出する（Ｓ７０１）。一方、電話交換装置では、これを無線基地局１０２を介して受信すると、内線通話接続の発信を検出し（Ｓ７０２）、その後、図５に示す端末状態テーブルＴ５０又は会議グループ登録テーブルＴ６０を参照して、この内線話接続要求情報を送出した携帯形電話端末装置が会議グループのいずれかに登録されているかどうか判断する（Ｓ７０３）。
【００５５】
この判断の結果、会議グループに登録されていない場合には、その内線通話接続要求を無効にする処理を行い（Ｓ７０４）、会議グループに登録されている場合には、当該携帯形電話端末装置が所属している会議グループを抽出し（Ｓ７０５）。そして、ダイヤルトーンを携帯形電話端末装置ＰＳ４に送出して、ダイヤル操作を促す（Ｓ７０６）。
【００５６】
一方、携帯形電話端末装置ＰＳ４の使用者がダイヤルトーンを聴取すると、携帯形電話端末装置のダイヤルボタン３０８を押下してダイヤリングする（Ｓ７０７）。すると、携帯形電話端末装置ＰＳ４は、ダイヤリングされたダイヤル番号と自端末番号（ＰＳ４）とを電話交換装置に送出する。
【００５７】
これに対し、電話交換装置では、ダイヤル受信処理によってダイヤルを受信し（Ｓ７０８）、携帯形電話端末装置ＰＳ６への接続要求を認識し（Ｓ７０９）、図５に示す端末状態テーブルＴ５０を参照して携帯形電話端末装置ＰＳ６が空き状態にあるかどうか判断する（Ｓ７１０）。
【００５８】
この判断の結果、携帯形電話端末装置ＰＳ６が塞がり状態のときには、携帯形電話端末装置ＰＳ４にビジートーンを送出し（Ｓ７１１）、空き状態のときには、携帯形電話端末装置ＰＳ６を呼び出す（Ｓ７１２）。
【００５９】
この呼び出しに対し、携帯形電話端末装置ＰＳ６の使用者が、携帯形電話端末装置の内線ボタン３０４を押下して応答すると、応答要求を示す応答情報と自端末番号とを、電話交換装置に送出する（Ｓ７１３）。
【００６０】
一方、電話交換装置では、これを無線基地局１０２を介して受信すると、応答を検出し（Ｓ７１４）、通話路スイッチ１００を制御して携帯形電話端末装置ＰＳ４と携帯形電話端末装置ＰＳ６との間に通話路を設定し（Ｓ７１５）、内線通話接続状態にする（Ｓ７１６）。
【００６１】
次に、以上により内線通話接続がなされている場合において、携帯形電話端末装置ＰＳ６の使用者が携帯形電話端末装置の切断ボタン３０６を押下すると、切断要求を示す切断情報と自端末番号（ＰＳ６）とを、電話交換装置に送出する（Ｓ７１７）。
【００６２】
一方、電話交換装置では、これを無線基地局１０２を介して受信すると、切断を検出し（Ｓ７１８）、その後、図５に示す端末状態テーブルＴ５０を参照して、この応答情報を送出した携帯形電話端末装置ＰＳ６の通話ポートに接続している接続先ポートを抽出することで、これが携帯形電話端末装置ＰＳ４に接続されていることを認識して、通話路及び携帯形電話端末装置ＰＳ６を開放する（Ｓ７１９）。その後、この内線通話接続に係る通話情報を、外部インタフェース装置１１１を介してパソコン２０３に送出し（Ｓ７２０）、次いで、ビジートーンを携帯形電話端末装置ＰＳ４に送出して切断を促す（Ｓ７２１）。
【００６３】
そして、携帯形電話端末装置ＰＳ４の使用者が携帯形電話端末装置の切断ボタン３０６を押下して、切断要求を示す切断情報と自端末番号（ＰＳ４）とを、電話交換装置に送出すると（Ｓ７２２）、これを電話交換装置が検出し、携帯形電話端末装置ＰＳ４に対する開放／切断処理を行い（Ｓ７２３）、内線通話接続を開放する。
【００６４】
以上のようにして、内線通話接続が行われる。
【００６５】
次に、本発明における会議グループの解除方法を説明する。なお、本実施の形態においては、図２に示すように、本発明のシステムをデパートのビルに設置し、複数人のグループからなる利用客に携帯形電話端末装置を貸し出して、会議グループを設定した場合において、この会議グループを解除するときを例にして説明する。
【００６６】
図１６は、利用客に携帯形電話端末装置を貸し出した後に、会議グループを解除する返却清算画面を示す図であり、これはクライアント用パソコン２０３の画面に表示されるものである。図１６において、この返却清算画面Ｄ１６は、貸出番号入力部Ｄ１６０と、料金算出ボタン部Ｄ１６１と、設定クリアボタン部Ｄ１６２と、貸出料金表示部Ｄ１６３とからなる。
【００６７】
貸出番号入力部Ｄ１６０は、図１５の貸出設定画面Ｄ１５における貸出番号入力部Ｄ１５４に入力した番号と同一の管理番号を入力する領域である。また、料金算出ボタン部Ｄ１６１は携帯形電話端末装置の貸出料金を算出させるためのボタンであり、貸し出しのクリア、即ち、会議グループ登録をクリアするボタンである。なお、これらのボタンは、通常のパソコンと同様にマウスのクリックによって、その機能を果たすものである。そして、貸出料金表示部Ｄ１６３は、貸出料金を表示する領域であり、貸出料と外線通話に係る通話料との合計金額を表示する。
【００６８】
以下、携帯形電話端末装置を借用していた使用者がこれを返却し、会議グループを解除する方法について説明する。携帯形電話端末装置の利用客が、携帯形電話端末装置を返却する際においては、受付のオペレータは、クライアント用パソコン２０３を操作し、返却清算画面Ｄ１６を表示させる。そして、貸出番号入力部Ｄ１６０に貸出番号を入力し、その後、料金算出ボタンＤ１６１をクリックする。すると、その貸出番号に対応する会議グループを認識し、この会議グループに所属している携帯形電話端末装置に係る貸出料及び外線通話の通話料と合計金額とを、貸出料金表示部Ｄ１６３に表示する。
【００６９】
これによって、貸出清算を終了すると、次に、オペレータは設定クリアボタン部Ｄ１６２をクリックする。すると、貸出番号入力部Ｄ１６０に入力した貸出番号に対応する会議グループを解除し、かつ、この会議グループに所属する携帯形電話端末装置を未使用状態に設定する。
【００７０】
即ち、この会議グループの解除情報（会議グループに対する携帯形電話端末装置３００の割り当て解除情報）を、外部インタフェース装置１１１を介して電話交換装置に送出する。一方、これを中央制御装置１０９が認識すると、受信した情報に応じて、図５に示す端末状態テーブルＴ５０の対応する状態情報領域Ｔ５４を未使用に設定し、また、図６に示す会議グループ登録テーブルＴ６０に対して設定されていた会議グループの割り付けを消去して、会議グループの設定をクリアする。なお、このとき、図１７に示すように、通話日付Ｌ１７０、通話開始時間及び通話終了時間からなる通話時間Ｌ１７１、通話内容Ｌ１７２、発信端末番号Ｌ１７３、発信先Ｌ１７４、及び課金（通話料金）Ｌ１７５を含む通話明細リストを出力させ、利用者にその詳細を知らしめることもできる。
【００７１】
以上のようにして、会議グループの解除方法を行い、初期状態に戻す。
【００７２】
なお、本実施の形態においては、デパートの利用客に携帯形電話端末装置を貸し出した場合を例に説明したが、これ以外にも多種多様に活用することができる。
【００７３】
例えば、この電話交換システムを工事現場に設置し、オペレータ（現場責任者）が多機能電話機４００を利用することで、任意の会議グループに所属する携帯形電話端末装置を一斉に呼び出し、会議通話接続による一斉通報を行えることは明らかであり、これによれば、広大な工事現場において、各作業チームに対して適切に作業指示を与えるといった使い方もできる。
【００７４】
【発明の効果】
本発明によれば、例えば携帯形電話端末装置を貸し出すようにして、グループの個人個人に携帯形電話端末装置を所有させ、この携帯形電話端末装置を使用して、グループ全員に対して、簡便に、コミュニケーションが図れるようになり、イベント会場、スキー場、デパート等の広大な敷地において、複数人からなるグループ内で、容易に連絡をとりあうことができる。
【図面の簡単な説明】
【図１】本発明の実施の形態を示すシステム構成図である。
【図２】本発明の電話交換装置、ＬＡＮからなるシステムを設置した状態の概念を示す図である。
【図３】本発明の実施の形態を示す携帯形電話端末装置の盤面図である。
【図４】本発明の実施の形態を示す多機能電話機の盤面図である。
【図５】本発明の実施の形態を示す端末状態テーブルである。
【図６】本発明の実施の形態を示す会議グループ登録テーブルである。
【図７】本発明の実施の形態を示す会議トランク状態テーブルである。
【図８】同一会議グループでの会議通話接続動作を示すシーケンス（その１）である。
【図９】同一会議グループでの会議通話接続動作を示すシーケンス（その２）である。
【図１０】同一会議グループでの会議通話接続動作を示すシーケンス（その３）である。
【図１１】外線通話接続動作を示すシーケンス（その１）である。
【図１２】外線通話接続動作を示すシーケンス（その２）である。
【図１３】内線通話接続動作を示すシーケンス（その１）である。
【図１４】内線通話接続動作を示すシーケンス（その２）である。
【図１５】本発明の実施の形態を示す貸出設定画面を示す図である。
【図１６】本発明の実施の形態を示す返却清算画面を示す図である。
【図１７】本発明の実施の形態を示す通話料金明細リストの例を示す図である。
【符号の説明】
１００    通話路スイッチ
１０１    無線インタフェース装置
１０２    無線基地局
１０３    多機能電話インタフェース装置
１０５    局線トランク
１０６    会議トランク
１０７    デジタルラインインタフェース装置
１０９    中央制御装置
１１０    主記憶装置
１１１    外部インタフェース装置
２００    ファイルサーバー
２０３    クライアント用パソコン
２０５    ルータ
３００    携帯形電話端末装置
４００    多機能電話機
５００    公衆網
【図１】
0003540928.tif 000002
【図２】
0003540928.tif 000003
【図３】
0003540928.tif 000004
【図４】
0003540928.tif 000005
【図５】
0003540928.tif 000006
【図６】
0003540928.tif 000007
【図７】
0003540928.tif 000008
【図８】
0003540928.tif 000009
【図９】
0003540928.tif 000010
【図１０】
0003540928.tif 000011
【図１１】
0003540928.tif 000012
【図１２】
0003540928.tif 000013
【図１３】
0003540928.tif 000014
【図１４】
0003540928.tif 000015
【図１５】
0003540928.tif 000016
【図１６】
0003540928.tif 000017
【図１７】
0003540928.tif 000018